【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
トランスポートパケットのペイロード部で主信号が伝送され、所定数のトランスポートパケットによりフレームが形成され、該フレーム内のトランスポートパケットの同期部の少なくとも一部が伝送系に係る制御信号とフレーム同期信号に置き換えられ、この制御信号とフレーム同期信号を、主信号と時分割で、誤り訂正内符号化回路で誤り訂正内符号化し、この誤り訂正内符号化されたフレーム同期信号及び制御信号を第１の変調方式で変調し、上記主信号を第２の変調方式で変調して伝送するデジタル放送信号送信装置であって、
上記フレーム内のトランスポートパケットの同期部の内、少なくとも一部をフレーム同期用のｍビットの第１のビットパターンを有する第１のビット系列と、複数のフレームが集まって形成されるスーパーフレームの識別用のｍビットの第２のビットパターン、又はｍビットの第３のビットパターンを有する第２のビット系列に置き換えて、第１のビット系列、制御信号、第２のビット系列の順番で出力する置換回路と、
上記主信号に対して第１のリードソロモン符号を生成する第１のリードソロモン符号化回路と、
上記第１のリードソロモン符号化回路の出力をインターリーブするインターリーブ回路と、
上記制御信号を複数のフレーム分だけ集めた信号に対して第２の誤り訂正符号を生成する第２のリードソロモン符号化回路と、
上記置換回路と、上記第２のリードソロモン符号化回路と、上記インターリーブ回路の出力とを時分割で誤り訂正内符号化する拘束長がｎ（ｎ＜ｍ）の誤り訂正内符号化回路と、
上記誤り訂正内符号化回路の出力を上記第１又は第２の変調方式で変調する変調回路とを有することを特徴とするデジタル放送信号送信装置。
【請求項２】
トランスポートパケットのペイロード部で主信号が伝送され、所定数のトランスポートパケットによりフレームが形成され、該フレーム内のトランスポートパケットの同期部の少なくとも一部が伝送系に係る制御信号とフレーム同期信号に置き換えられ、この制御信号とフレーム同期信号を、主信号と時分割で、誤り訂正内符号化回路で誤り訂正内符号化し、この誤り訂正内符号化されたフレーム同期信号及び制御信号を第１の変調方式で変調し、上記主信号を第２の変調方式で変調して伝送するデジタル放送信号送信装置の送信方法であって、
上記フレーム内のトランスポートパケットの同期部の内、少なくとも一部をフレーム同期用のｍビットの第１のビットパターンを有する第１のビット系列と、複数のフレームが集まって形成されるスーパーフレームの識別用のｍビットの第２のビットパターン、又は第３のビットパターンを有する第２のビット系列に置き換えて、第１のビット系列、制御信号、第２のビット系列の順番で出力する置換する工程と、
上記主信号に対して第１のリードソロモン符号を生成する第１のリードソロモン符号化回路と、上記第１のリードソロモン符号化回路の出力をインターリーブする工程と、
上記制御信号を複数のフレーム分だけ集めた信号に対して第２の誤り訂正符号を生成する第２のリードソロモン符号化工程と、
上記置換工程と、上記第２のリードソロモン符号化工程と、上記インターリーブ工程の出力とを時間分割で誤り訂正内符号化する拘束長がｎ（ｎ＜ｍ）の誤り訂正内符号化する工程と、
上記誤り訂正内符号化工程の出力を上記第１又は第２の変調方式で変調する変調工程とを有することを特徴とするデジタル放送信号の送信方法。
【手続補正２】
【補正対象書類名】明細書
【補正対象項目名】発明の名称
【補正方法】変更
【補正の内容】
【発明の名称】デジタル放送信号送信装置及び送信方法
【手続補正３】
【補正対象書類名】明細書
【補正対象項目名】０００１
【補正方法】変更
【補正の内容】
【０００１】
本発明は、デジタル放送信号送信装置及び送信方法に関し、特に、伝送系に係る制御信号、例えばいわゆるＴＭＣＣ（Transmission Multiplexing ConfigurationControl） 信号を主信号と共に伝送するようなデジタル放送信号送信装置及び送信方法に関する。
【手続補正４】
【補正対象書類名】明細書
【補正対象項目名】００３３
【補正方法】変更
【補正の内容】
【００３３】
本発明は、このような状況に鑑みてなされたものであり、伝送路誤りに対する耐性をより高めるようにし、また、安定して、かつ、高速に、ＴＭＣＣ信号のような伝送系に係る制御信号を再生することができるようなデジタル放送信号送信装置及び送信方法の提供を目的とするものである。
【手続補正５】
【補正対象書類名】明細書
【補正対象項目名】００３４
【補正方法】変更
【補正の内容】
【００３４】
本発明に係るデジタル放送信号送信装置は、トランスポートパケットのペイロード部で主信号が伝送され、所定数のトランスポートパケットによりフレームが形成され、該フレーム内のトランスポートパケットの同期部の少なくとも一部が伝送系に係る制御信号とフレーム同期信号に置き換えられ、この制御信号とフレーム同期信号を、主信号と時分割で、誤り訂正内符号化回路で誤り訂正内符号化し、この誤り訂正内符号化されたフレーム同期信号及び制御信号を第１の変調方式で変調し、上記主信号を第２の変調方式で変調して伝送するデジタル放送信号送信装置であって、上記フレーム内のトランスポートパケットの同期部の内、少なくとも一部をフレーム同期用のｍビットの第１のビットパターンを有する第１のビット系列と、複数のフレームが集まって形成されるスーパーフレームの識別用のｍビットの第２のビットパターン、又は第３のビットパターンを有する第２のビット系列に置き換えて、第１のビット系列、制御信号、第２のビット系列の順番で出力する置換回路と、上記主信号に対して第１のリードソロモン符号を生成する第１のリードソロモン符号化回路と、上記第１のリードソロモン符号化回路の出力をインターリーブするインターリーブ回路と、上記制御信号を複数のフレーム分だけ集めた信号に対して第２の誤り訂正符号を生成する第２のリードソロモン符号化回路と、上記置換回路と、上記第２のリードソロモン符号化回路と、上記インターリーブ回路の出力とを時間分割で誤り訂正内符号化する拘束長がｎ（ｎ＜ｍ）の誤り訂正内符号化回路と、上記誤り訂正内符号化回路の出力を上記第１又は第２の変調方式で変調する変調回路とを有する。
【手続補正６】
【補正対象書類名】明細書
【補正対象項目名】００３５
【補正方法】変更
【補正の内容】
【００３５】
本発明に係るデジタル放送信号送信方法は、トランスポートパケットのペイロード部で主信号が伝送され、所定数のトランスポートパケットによりフレームが形成され、該フレーム内のトランスポートパケットの同期部の少なくとも一部が伝送系に係る制御信号とフレーム同期信号に置き換えられ、この制御信号とフレーム同期信号を、主信号と時分割で、誤り訂正内符号化回路で誤り訂正内符号化し、この誤り訂正内符号化されたフレーム同期信号及び制御信号を第１の変調方式で変調し、上記主信号を第２の変調方式で変調して伝送するデジタル放送信号送信装置の送信方法であって、上記フレーム内のトランスポートパケットの同期部の内、少なくとも一部をフレーム同期用のｍビットの第１のビットパターンを有する第１のビット系列と、複数のフレームが集まって形成されるスーパーフレームの識別用のｍビットの第２のビットパターン、又は第３のビットパターンを有する第２のビット系列に置き換えて、第１のビット系列、制御信号、第２のビット系列の順番で出力する置換する工程と、上記主信号に対して第１のリードソロモン符号を生成する第１のリードソロモン符号化回路と、上記第１のリードソロモン符号化回路の出力をインターリーブする工程と、上記制御信号を複数のフレーム分だけ集めた信号に対して第２の誤り訂正符号を生成する第２のリードソロモン符号化工程と、上記置換工程と、上記第２のリードソロモン符号化工程と、上記インターリーブ工程の出力とを時間分割で誤り訂正内符号化する拘束長がｎ（ｎ＜ｍ）の誤り訂正内符号化する工程と、上記誤り訂正内符号化工程の出力を上記第１又は第２の変調方式で変調する変調工程とを有する。
【手続補正７】
【補正対象書類名】明細書
【補正対象項目名】００３６
【補正方法】変更
【補正の内容】
【００３６】
本発明に係るデジタル放送信号送信装置及び送信方法によれば、伝送系に係る制御信号と主信号とを時分割で誤り訂正内符号化しているため、Ｃ／Ｎが低い状態であったとしても、受信側で、安定的に、制御信号を再生することが可能となる。